(57)【要約】【課題】一般給湯の設定温度より浴槽給湯の設定温度が高い場合、一般給湯時に一般給湯設定温度から逸脱した高い温度の湯が出湯されることがない給湯機を提供する。【解決手段】  給湯用熱交換器５０が一般給湯と浴槽給湯の共有の熱交換器である給湯機１において、コントローラ１００は、浴槽給湯設定温度が一般給湯設定温度よりも高い場合、浴槽給湯中に一般給湯を検知したときに、給湯用熱交換器５０で熱交換後の温水温度が一般給湯設定温度に対応した温度となるように給湯用循環ポンプ４４を制御し、浴槽給湯と一般給湯とを同時に行う際、流量調整弁３２の開度を閉方向に制御する。【選択図】図１
2012042091.tif 000002
【特許請求の範囲】
【請求項１】
熱媒体を貯える蓄熱タンクと、
前記蓄熱タンク内の熱媒体を加熱する加熱手段と、
一般給湯端末に湯を供給する一般給湯回路と、
浴槽に湯を供給する浴槽給湯回路と、
前記蓄熱タンクに貯留された熱媒体を取り出して前記蓄熱タンクに戻す給湯用加熱回路と、
前記給湯用加熱回路に設けられ、前記一般給湯端末に供給される給水および前記浴槽に供給される給水を前記熱媒体と熱交換させて加熱する給湯用熱交換器と、
前記給湯用加熱回路に設けられ、前記蓄熱タンクと前記給湯用熱交換器との間で前記熱媒体を循環させる給湯用循環ポンプと、
前記加熱回路および前記給湯用循環ポンプを制御する制御部と、
を備え、
前記給湯用熱交換器は、一般給湯用と浴槽給湯用とで共通であり、
前記一般給湯回路と前記浴槽給湯回路との分岐より下流側の前記浴槽給湯回路に弁が配置され、
前記制御部は、浴槽給湯設定温度が一般給湯設定温度よりも高い場合、浴槽給湯中に一般給湯を検知したときに、前記給湯用熱交換器で熱交換後の温水温度が前記一般給湯設定温度に対応した温度となるように前記給湯用循環ポンプを制御し、浴槽給湯と一般給湯とを同時に行いつつ、前記弁を閉方向に制御することを特徴とする給湯機。
【請求項２】
熱媒体を貯える蓄熱タンクと、
前記蓄熱タンク内の熱媒体を加熱する加熱手段と、
一般給湯端末に湯を供給する一般給湯回路と、
浴槽に湯を供給する浴槽給湯回路と、
前記蓄熱タンクに貯留された熱媒体を取り出して前記蓄熱タンクに戻す給湯用加熱回路と、
前記給湯用加熱回路に設けられ、前記一般給湯端末に供給される給水および前記浴槽に供給される給水を前記熱媒体と熱交換させて加熱する給湯用熱交換器と、
前記給湯用加熱回路に設けられ、前記蓄熱タンクと前記給湯用熱交換器との間で前記熱媒体を循環させる給湯用循環ポンプと、
前記加熱回路および前記給湯用循環ポンプを制御する制御部と、
を備え、
前記給湯用熱交換器は、一般給湯用と浴槽給湯用とで共通であり、
前記一般給湯回路と前記浴槽給湯回路との分岐より下流側の前記浴槽給湯回路に弁が配置され、
前記制御部は、浴槽給湯設定温度が一般給湯設定温度よりも高い場合、浴槽給湯中に一般給湯を検知したときに、浴槽給湯を直ちに停止せずに、前記給湯用熱交換器で熱交換後の温水温度が前記一般給湯設定温度に対応した温度となるように前記給湯用循環ポンプを制御し、前記給湯用熱交換器から流出した温水の一部を前記浴槽給湯回路に流入させた後、前記弁を閉方向に制御することを特徴とする給湯機。
【請求項３】
前記弁は、開度調整可能な流量調整弁を備えて構成され、
前記制御部は、浴槽給湯設定温度が一般給湯設定温度よりも高い場合、浴槽給湯中に一般給湯を検知したときに、前記給湯用熱交換器で熱交換後の温水温度が前記一般給湯設定温度に対応した温度となるように前記給湯用循環ポンプを制御し、かつ、前記流量調整弁を閉方向に制御することを特徴とする請求項１または請求項２に記載の給湯機。
【請求項４】
前記弁は、開閉制御可能な電磁弁を備えて構成され、
前記制御部は、浴槽給湯設定温度が一般給湯設定温度よりも高い場合、浴槽給湯中に一般給湯を検知したときに、前記給湯用熱交換器で熱交換後の温水温度が前記一般給湯設定温度に対応した温度となるように前記給湯用循環ポンプを制御した後に、前記電磁弁を閉方向に制御することを特徴とする請求項１または請求項２に記載の給湯機。
【請求項５】
熱媒体を貯える蓄熱タンクと、
前記蓄熱タンク内の熱媒体を加熱する加熱手段と、
一般給湯端末に湯を供給する一般給湯回路と、
浴槽に湯を供給する浴槽給湯回路と、
前記蓄熱タンクに貯留された熱媒体を取り出して前記蓄熱タンクに戻す給湯用加熱回路と、
前記給湯用加熱回路に設けられ、前記一般給湯端末に供給される給水および前記浴槽に供給される給水を前記熱媒体と熱交換させて加熱する給湯用熱交換器と、
前記給湯用加熱回路に設けられ、前記蓄熱タンクと前記給湯用熱交換器との間で前記熱媒体を循環させる給湯用循環ポンプと、
前記加熱回路および前記給湯用循環ポンプを制御する制御部と、
を備え、
前記給湯用熱交換器は、一般給湯用と浴槽給湯用とで共通であり、
前記一般給湯回路と前記浴槽給湯回路との分岐より下流側の前記浴槽給湯回路に弁が配置され、
前記制御部は、浴槽給湯設定温度が一般給湯設定温度よりも高い場合、予め設定された終了浴槽給湯量または終了浴槽給湯時間に至る浴槽給湯の終了に先立って一般給湯設定温度に対応した温度となるように前記給湯用循環ポンプを制御することを特徴とする給湯機。
【請求項６】
前記弁は、開度調整可能な流量調整弁を備えて構成され、
前記制御部は、浴槽給湯設定温度が一般給湯設定温度よりも高い場合、予め設定された終了浴槽給湯量または終了浴槽給湯時間に至る浴槽給湯の終了直前に、前記給湯用循環ポンプを前記給湯用熱交換器で熱交換後の温水温度が前記一般給湯設定温度に対応した温度となるように制御を開始すると同時に、前記流量調整弁を閉方向に制御することを特徴とする請求項５に記載の給湯機。
【請求項７】
前記弁は、開閉制御可能な電磁弁を備えて構成され、
前記制御部は、浴槽給湯設定温度が一般給湯設定温度よりも高い場合、予め設定された終了浴槽給湯量または終了浴槽給湯時間に至る浴槽給湯の終了直前に、前記給湯循環ポンプを制御して前記給湯用熱交換器で熱交換後の温水温度が前記一般給湯設定温度に対応した温度に至ると同時に、前記電磁弁を閉方向に制御することを特徴とする請求項５に記載の給湯機。
【発明の詳細な説明】
【技術分野】
【０００１】
本発明は、蓄熱タンク式の給湯機に関する。
【背景技術】
【０００２】
従来、貯湯タンクの湯を給湯に使用しない給湯機として、貯湯タンクの高温湯と給水とを給湯用の熱交換器で熱交換して湯を作り、給湯混合弁にて給湯や湯はりを可能にする技術が提案されている（特許文献１参照）。ちなみに、特許文献１に記載の給湯機における湯はりは、湯はり用の電磁弁を開閉することで実施され、給湯は給湯混合弁にて温度調整されることで実施される。
【先行技術文献】
【特許文献】
【０００３】
【特許文献１】特開２０１０−９１１９６号公報（図１）
【発明の概要】
【発明が解決しようとする課題】
【０００４】
しかしながら、特許文献１に記載の給湯機では、一般給湯（蛇口など）の設定温度より浴槽給湯（湯はりなど）の設定温度の方が高い場合、浴槽給湯中または浴槽給湯終了直後に一般給湯を開始すると、一般給湯設定温度より高い温度の湯が出湯されることになり、使用者は不快もしくは不満に感じる可能性がある。
【０００５】
そこで、本発明は、一般給湯の設定温度より浴槽給湯の設定温度が高い場合であっても、一般給湯時に一般給湯設定温度から逸脱した高い温度の湯が出湯されることがない給湯機を提供することを課題とする。
【課題を解決するための手段】
【０００６】
第１の発明は、熱媒体を貯える蓄熱タンクと、前記蓄熱タンク内の熱媒体を加熱する加熱手段と、一般給湯端末に湯を供給する一般給湯回路と、浴槽に湯を供給する浴槽給湯回路と、前記蓄熱タンクに貯留された熱媒体を取り出して前記蓄熱タンクに戻す給湯用加熱回路と、前記給湯用加熱回路に設けられ、前記一般給湯端末に供給される給水および前記浴槽に供給される給水を前記熱媒体と熱交換させて加熱する給湯用熱交換器と、前記給湯用加熱回路に設けられ、前記蓄熱タンクと前記給湯用熱交換器との間で前記熱媒体を循環させる給湯用循環ポンプと、前記加熱回路および前記給湯用循環ポンプを制御する制御部と、を備え、前記給湯用熱交換器は、一般給湯用と浴槽給湯用とで共通であり、前記一般給湯回路と前記浴槽給湯回路との分岐より下流側の前記浴槽給湯回路に弁が配置され、前記制御部は、浴槽給湯設定温度が一般給湯設定温度よりも高い場合、浴槽給湯中に一般給湯を検知したときに、前記給湯用熱交換器で熱交換後の温水温度が前記一般給湯設定温度に対応した温度となるように前記給湯用循環ポンプを制御し、浴槽給湯と一般給湯とを同時に行いつつ、前記弁を閉方向に制御することを特徴とする。
【０００７】
第２の発明は、熱媒体を貯える蓄熱タンクと、前記蓄熱タンク内の熱媒体を加熱する加熱手段と、一般給湯端末に湯を供給する一般給湯回路と、浴槽に湯を供給する浴槽給湯回路と、前記蓄熱タンクに貯留された熱媒体を取り出して前記蓄熱タンクに戻す給湯用加熱回路と、前記給湯用加熱回路に設けられ、前記一般給湯端末に供給される給水および前記浴槽に供給される給水を前記熱媒体と熱交換させて加熱する給湯用熱交換器と、前記給湯用加熱回路に設けられ、前記蓄熱タンクと前記給湯用熱交換器との間で前記熱媒体を循環させる給湯用循環ポンプと、前記加熱回路および前記給湯用循環ポンプを制御する制御部と、を備え、前記給湯用熱交換器は、一般給湯用と浴槽給湯用とで共通であり、前記一般給湯回路と前記浴槽給湯回路との分岐より下流側の前記浴槽給湯回路に弁が配置され、前記制御部は、浴槽給湯設定温度が一般給湯設定温度よりも高い場合、予め設定された所定の浴槽給湯量または所定の浴槽給湯時間に至る浴槽給湯の終了に先立って一般給湯設定温度に対応した温度となるように前記給湯用循環ポンプを制御することを特徴とする。
【発明の効果】
【０００８】
本発明によれば、一般給湯の設定温度より浴槽給湯の設定温度が高い場合であっても、一般給湯時に一般給湯設定温度から逸脱した高い温度の湯が出湯されることがない給湯機を提供できる。
【図面の簡単な説明】
【０００９】
【図１】第１実施形態に係る給湯機の全体回路図である。
【図２】第１実施形態に係る給湯機において、浴槽給湯中に一般給湯が検知されたときの制御を示すフローチャートである。
【図３】図２のフローチャートに対応した動作例を示すタイムチャートである。
【図４】第１実施形態の変形例に係る給湯機において、浴槽給湯中に一般給湯が検知されたときの制御を示すフローチャートである。
【図５】図４のフローチャートに対応した動作例を示すタイムチャートである。
【図６】第２実施形態に係る給湯機において、浴槽給湯中に一般給湯が検知されたときの制御を示すフローチャートである。
【図７】図６のフローチャートに対応した動作例を示すタイムチャートである。
【発明を実施するための形態】
【００１０】
（第１実施形態）
以下、第１実施形態に係る給湯機１について図１ないし図３を参照して説明する。
図１に示すように、第１実施形態に係る給湯機１は、蓄熱タンクユニット２、ヒートポンプユニット（加熱手段）３を含んで構成されている。
【００１１】
蓄熱タンクユニット２は、蓄熱タンク１０、一般給湯回路２０、浴槽給湯回路３０、給湯用加熱回路４０、給湯用熱交換器５０、コントローラ１００などで構成されている。
【００１２】
ヒートポンプユニット３は、図示していないが、例えば、冷媒（例えば、二酸化炭素）を圧縮して高温・高圧にするコンプレッサと、コンプレッサからの冷媒を凝縮させるとともに蓄熱タンク１０からの水を熱交換することによって加熱するコンデンサと、コンデンサからの冷媒を膨張させる膨張弁と、大気中の熱を吸熱して膨張した冷媒を蒸発させるエバポレータと、を備えて構成されている。
【００１３】
また、ヒートポンプユニット３は、その熱媒体入口がヒートポンプ往き管４を介して蓄熱タンク１０の下部と接続され、熱媒体出口がヒートポンプ戻り管５を介して蓄熱タンク１０の上部に接続されている。なお、図示していないが、蓄熱タンクユニット２側またはヒートポンプユニット３側には、蓄熱タンク１０とヒートポンプユニット３との間において蓄熱タンク１０内の熱媒体を循環させる循環ポンプが設けられている。
【００１４】
なお、蓄熱タンク１０内の湯水を加熱するための熱源ユニットとしてヒートポンプユニット３を例に挙げて説明したが、これに限定されるものではなく、例えば電気ヒータによるものであってもよい。
【００１５】
蓄熱タンク１０は、例えば、熱媒体として湯水を溜める密閉式のタンクであり、縦長の円筒形状を呈している。また、蓄熱タンク１０は、保温性能向上のため、その周囲が発泡スチロールなどの断熱材などで覆われている。なお、蓄熱タンク１０は、密閉式に限定されるものではなく、開放型のものであってもよい。
【００１６】
また、蓄熱タンク１０には、異なる高さ位置での熱媒体（湯水）の温度を検知する複数のタンク温度センサ１１〜１５が設けられている。具体的には、蓄熱タンク１０には、上部から下部にかけて５つのタンク温度センサ１１〜１５が設けられている。これにより、コントローラ１００によって、蓄熱タンク１０内の湯水の温度分布を把握できるようになっている。
【００１７】
なお、本実施形態では、熱媒体として水（水道水など）が用いられる。しかし、本実施形態での熱媒体は、蓄熱タンク１０の外部に供給されるものではないため、水以外のもの、例えば、潜熱蓄熱材入りの液体、不凍液であってもよい。
【００１８】
一般給湯回路２０は、一般給湯に使用される一般給湯端末（不図示）に湯を供給する流路であり、給水管２１と一般給湯管２２とで構成されている。なお、一般給湯とは、供給された湯を一度利用して完了するような利用形態のものである。この一般給湯に使用される一般給湯端末としては、キッチン、洗面所、風呂場などに設置された蛇口やシャワーなどがある。
【００１９】
給水管２１は、上流端が給水源に接続され、下流端が後記する給湯用熱交換器５０の二次側の給水の入口５１ａに接続されている。また、給水管２１には、給水の温度を測定する給水温度センサ２５が設けられている。
【００２０】
給水温度センサ２５は、後記する給湯用熱交換器５０に導入される前の給水の温度を検知するものである。
【００２１】
一般給湯管２２（２２ａ，２２ｂ）は、上流端が給湯用熱交換器５０の二次側の給湯の出口５１ｂに接続され、下流端が各種の一般給湯端末に接続されている。また、一般給湯管２２には、上流側から順に、給湯温度センサ２６、流量センサ２３、アキュムレータ２４が設けられている。なお、符号２２ａ，２２ｂの管の説明は後記する。
【００２２】
なお、給水管２１が接続される給水源としては、水道に限定されるものではなく、井戸水（地下水）などを使用してもよい。特に、本実施形態に係る給湯機１は、硬度成分（カルシウム、マグネシウム等）の少ない水道水（軟水）のみに適用されるものではなく、硬度成分を多く含む水道水や井戸水（高硬度水）にも適用することが可能なものである。
【００２３】
流量センサ２３は、一般給湯管２２を流れる湯の流量を検出するものであり、また、一般給湯管２２に湯が流れることによって一般給湯端末が開かれた（作動した）ことを検知できる。
【００２４】
アキュムレータ２４は、蛇口やシャワーなどから出湯したときに、湯の温度を下げて（なまして）から出湯させるバッファとしての機能を有している。
【００２５】
給湯温度センサ２６は、給湯用熱交換器５０から流出される温水の温度を検知するものである。
【００２６】
なお、流量センサ２３およびアキュムレータ２４は、一般給湯回路２０と浴槽給湯回路３０とが分岐する分岐部Ｓよりも下流側に配置されている。給湯温度センサ２６は、一般給湯回路２０と浴槽給湯回路３０の分岐（分岐部Ｓ）よりも上流側に配置されている。
【００２７】
浴槽給湯回路３０は、浴槽給湯に使用される流路であり、給水管２１と浴槽給湯管３１とで構成されている。なお、浴槽給湯とは、供給された湯を一度利用して完了するのではなく、貯留しておいて後に再度加熱して利用するような利用形態のものである。
【００２８】
また、浴槽給湯としては、浴槽に湯を溜めるいわゆる湯はりだけではなく、浴槽給湯設定温度と同等の湯を追加する足し湯、浴槽給湯設定温度よりも高い温度の湯を追加して浴槽の湯の温度を上げる差し湯といった、給水源からの給水を加熱して浴槽に給湯する各種の給湯態様も含まれる。
【００２９】
浴槽給湯回路３０の給水管２１は、一般給湯回路２０の給水管２１と共有の配管となっている。
【００３０】
浴槽給湯管３１は、一般給湯回路２０の一般給湯管２２と一部（２２ｂ）を共有しており、分岐部Ｓを介して一般給湯管２２と分岐して構成されている。
【００３１】
浴槽給湯管３１には、分岐部Ｓよりも下流において、上流側から順に、流量調整弁３２、電磁弁３３、流量センサ３４、水位センサ３５、浴槽給湯温度センサ３６が設けられている。
【００３２】
流量調整弁３２は、浴槽給湯管３１に流れる湯の流量を調整するものであり、コントローラ１００によってその開度が適宜制御される。
【００３３】
例えば、一般給湯を使用せず浴槽給湯のみ（例えば、湯はりのみ）の場合には、流量調整弁３２の開度を最大に調整し、また浴槽給湯時に一般給湯を使用する場合には、浴槽給湯管３１の流量が少なくなるようにまたは浴槽給湯管３１の流量がほぼゼロになるように流量調整弁３２の開度を調整する。
【００３４】
電磁弁３３は、電磁作動式の遮断弁（ＯＮ／ＯＦＦ弁）であり、コントローラ１００によって開閉制御される。電磁弁３３を閉じることにより、浴槽への給湯が遮断される。なお、電磁弁３３には、浴槽に溜めた浴槽水が一般給湯回路２０に逆流しないように逆流防止機能（逆止弁など）を備えている。
【００３５】
流量センサ３４は、浴槽給湯管３１を流れる温水の流量を検出するものである。また、コントローラ１００によって流量センサ３４の検出値が積算されることにより、浴槽に注がれる温水の給湯量を検知することができる。
【００３６】
水位センサ３５は、浴槽に貯留された浴槽水の水位を検知するものである。コントローラ１００は、例えば、浴槽給湯時に、水位センサ３５によって予め設定された水位に達したことを検知すると、浴槽給湯を停止するようになっている。
【００３７】
浴槽給湯温度センサ３６は、浴槽に供給された温水（湯）の温度を検出するものである。
【００３８】
なお、前記した給湯温度センサ２６は、分岐部Ｓの上流側に位置しており、一般給湯時と浴槽給湯時の給湯温度をそれぞれ検出する共有の温度センサとなっている。
【００３９】
給湯用加熱回路４０は、蓄熱タンク１０に貯留された熱媒体（湯水）を取り出して蓄熱タンク１０に戻すものであり、給湯熱交換器往き管４１と、給湯熱交換器戻り管４２，４３と、給湯用循環ポンプ４４とで構成されている。
【００４０】
給湯熱交換器往き管４１は、蓄熱タンク１０内の熱媒体（湯水）を給湯用熱交換器５０に供給する流路を構成し、上流端が蓄熱タンク１０の上部に接続され、下流端が給湯用熱交換器５０の一次側の入口５１ｃに接続されている。
【００４１】
給湯熱交換器戻り管４２は、上流端が給湯用熱交換器５０の一次側の出口５１ｄに接続され、下流端が給湯用循環ポンプ４４の入口に接続されている。
【００４２】
給湯熱交換器戻り管４３は、上流端が給湯用循環ポンプ４４の出口（吐出口）に接続され、下流端が蓄熱タンク１０の下部に接続されている。
【００４３】
給湯用循環ポンプ４４は、コントローラ１００によって駆動制御されることで、蓄熱タンク１０の上部から熱媒体（高温水）を取り出し、蓄熱タンク１０の下部に戻すようにして循環させるようになっている。
【００４４】
また、給湯用循環ポンプ４４は、コントローラ１００によって図示しないモータの回転速度が制御されることにより、給湯用熱交換器５０を通過する熱媒体の流量を変化させて、給湯用熱交換器５０における二次側の給水への熱伝達率を変化させて、一般給湯設定温度および浴槽給湯設定温度を調整できるようになっている。
【００４５】
つまり、本実施形態では、一般給湯設定温度および浴槽給湯設定温度が、給湯用循環ポンプ４４の回転速度を変化させることで調整する構成となっている。
【００４６】
給湯用熱交換器５０は、給水管２１から供給される水を、給水の入口５１ａから導入し、蓄熱タンク１０の上部から取り出した熱媒体（湯水）を入口５１ｃから導入することで水と熱媒体とで熱交換させて、水を加熱するようになっている。そして、熱交換後の給湯の出口５１ｂから放出された温水は、一般給湯管２２を介して一般給湯に使用され、また浴槽給湯管３１を介して浴槽給湯に使用される。
【００４７】
このように、本実施形態の給湯用熱交換器５０は、一般給湯と浴槽給湯とで共有の熱交換器として構成されている。なお、給湯用熱交換器５０の出口５１ｄから排出された熱媒体は、その全量が蓄熱タンク１０の下部に戻るようになっている。
【００４８】
コントローラ１００は、ＣＰＵ（Central Processing Unit）、プログラムを記憶したＲＯＭ（Read Only Memory）、ＲＡＭ（Random Access Memory）などを備えて構成され、給湯用循環ポンプ４４のモータの回転速度、流量調整弁３２の開度、電磁弁３３の開閉を制御するとともに、流量センサ２３，３４による各流量、水位センサ３５による浴槽水の水位、タンク温度センサ１１〜１５、給水温度センサ２５、給湯温度センサ２６、および浴槽給湯温度センサ３６による各温度を取得する。
【００４９】
なお、コントローラ１００には、風呂リモコン１０１や台所リモコン１０２が有線または無線により接続されている。風呂リモコン１０１や台所リモコン１０２には、給湯機１の起動操作、一般給湯設定温度や浴槽給湯設定温度等の各種運転条件の設定等を行う操作部が設けられている。一般給湯設定温度は、一般給湯端末（蛇口やシャワーなど）から出湯される際の温度であり、浴槽給湯設定温度とは、湯はりや差し湯などによって浴槽に貯留される湯の温度である。コントローラ１００は、風呂リモコン１０１や台所リモコン１０２の操作部の操作に基いて、ヒートポンプユニット３、流量調整弁３２、電磁弁３３、給湯用循環ポンプ４４を制御する。
【００５０】
次に、本実施形態の給湯機１の動作について説明する。まず、沸き上げ、一般給湯、浴槽給湯の基本的な動作について図１を参照して説明する。
【００５１】
沸き上げの場合には、例えばタイマーを利用して深夜電力の時間帯において、蓄熱タンク１０内の熱媒体（水）をヒートポンプユニット３によって沸き上げる。すなわち、蓄熱タンク１０の下部からヒートポンプ往き管４を介して熱媒体（水）をヒートポンプユニット３に送り、ヒートポンプユニット３によって温められた熱媒体（湯）を、ヒートポンプ戻り管５を介して蓄熱タンク１０の上部に戻すことで、蓄熱タンク１０内には、例えば、下部に低温水、中間部に中温水、上部に高温水が層状に貯留される。なお、蓄熱タンク１０の全体（ほぼ全体）が高温水となるような沸き上げも可能である。
【００５２】
一般給湯の場合には、流量センサ２３によって一般給湯回路２０内の流れが検知されることによって運転が開始される。なお、このとき電磁弁３３は閉じている。すなわち、一般給湯端末（蛇口など）が開動作されると、コントローラ１００は、流量センサ２３によって一般給湯回路２０の流れが検知され、台所リモコンの操作部に設定された一般給湯設定温度の温水が一般給湯端末から供給されるように、給湯用循環ポンプ４４が駆動される。
【００５３】
詳述すると、タンク温度センサ１１で検知される蓄熱タンク１０から熱媒体を取り出す際の熱媒体の熱媒体温度、給水温度センサ２５で検知された給水温度、流量センサ２３で検知された流量に基いて、給湯温度センサ２６で検知される温度が目標温度となるように給湯用循環ポンプ４４のモータの回転速度を制御する。例えば、熱媒体温度、給水温度、流量、回転速度の関係のテーブルを複数備え、前記テーブルに基いて回転速度を選択することで、目標温度となるように設定できる。そして、一般給湯端末が閉動作されたことが流量センサ２３で検知されることにより、給湯用循環ポンプ４４を停止させる。
【００５４】
なお、一般給湯時における給湯温度センサ２６での目標温度は、風呂リモコン１０１や台所リモコン１０２の操作部で設定される一般給湯設定温度に対応する温度であり、温水が給湯温度センサ２６から一般給湯端末に到達するまで（温水が蛇口から出るまで）の間の温度低下等を考慮して、一般給湯設定温度よりも高く設定される。また、一般給湯設定温度に対して加算する温度ΔＴは、給湯機１における一般給湯管２２の配管長などに応じて適宜設定される。
【００５５】
浴槽給湯の場合には、例えば風呂リモコンの操作部に設けられた湯はり開始の操作スイッチのオン操作によって運転が開始される。なお、運転開始前には、電磁弁３３が閉弁し、流量調整弁３２の開度が最小に設定されている。
【００５６】
運転が開始されると、電磁弁３３が開弁し、流量調整弁３２の開度が徐々に拡大するように制御され、風呂リモコンの操作部で設定された浴槽給湯設定温度（湯はり温度）の温水が浴槽に供給されるように、給湯用循環ポンプ４４のモータの回転速度が制御される。
【００５７】
詳述すると、給水温度センサ２５で検知される給水温度と流量センサ３４で検知される流量に基いて、給湯温度センサ２６で検知される温度が目標温度となるように給湯用循環ポンプ４４のモータの回転速度を制御する。そして、浴槽に所定量の温水が貯留されたことが流量センサ３４の検出値の積算値、または水位センサ３５の検出値によって検知されることで、給湯用循環ポンプ４４が停止して、浴槽給湯を終了する。
【００５８】
なお、湯はりの運転終了時には、流量調整弁３２の開度が最小に（小さく）なるまで徐々(段階的)に絞られた後、電磁弁３３が閉弁する。これにより、電磁弁３３の上流側に過度な圧力が加わるのを防止できる。逆に、浴槽給湯の開始時には、流量調整弁３２を絞った状態で電磁弁３３を開弁することにより（流量調整弁３２の開度が大のまま、いきなり電磁弁３３を開弁しないようにすることにより）、負圧の発生によりセンサに不具合が生じるのを防止できる。
【００５９】
なお、給湯温度センサ２６での目標温度は、風呂リモコン１０１の操作部で設定される浴槽給湯設定温度に対応する温度であり、温水が給湯温度センサ２６から浴槽に到達するまでの間の温度低下等を考慮して、浴槽給湯設定温度よりも高く設定される。また、浴槽給湯設定温度に対して加算する温度ΔＴは、給湯機１における浴槽給湯管３１の配管長などに応じて適宜設定される。
【００６０】
なお、浴槽給湯としては、湯はりの他、浴槽の湯の温度が低くなった場合に浴槽給湯設定温度よりも高い温度の湯を追加して浴槽の湯の温度を上げる差し湯、浴槽内の湯の水位が低くなった場合に浴槽給湯設定温度の温水を追加する足し湯などがある。差し湯は、いわゆる追焚きモードの替わりとして利用できる。また、差し湯の温度は、足し湯の温度よりも高く設定される。
【００６１】
すなわち、差し湯の場合には、給水温度センサ２５で検知される給水温度と流量センサ３４で検知される流量に基いて、給湯温度センサ２６で検知される温度が目標温度（例えば、６０℃）となるように給湯用循環ポンプ４４のモータの回転速度を制御する。そして、浴槽に溜められた浴槽水の温度が、浴槽給湯設定温度に到達したことが浴槽給湯温度センサ３６で検知されることで、給湯用循環ポンプ４４が停止して、差し湯が終了する。
【００６２】
なお、差し湯の運転開始時には、電磁弁３３が開弁し、流量調整弁３２の開度が徐々に拡大するように制御され、運転終了時には、流量調整弁３２の開度が最小になるまで徐々に絞られた後、電磁弁３３が閉弁する。
【００６３】
また、浴槽給湯時に一般給湯が開始された場合の制御について図２ないし図５を参照して説明する。まず、第１実施形態の制御について図２および図３を参照して説明する。図２は浴槽給湯中に一般給湯が検知されたときの制御を示すフローチャート、図３は図２のフローチャートに対応した動作例を示すタイムチャートである。なお、図２および図３に示す第１実施形態の制御では、流量調整弁３２が特許請求の範囲の請求項１に記載の弁に相当する。
【００６４】
図２に示すように、ステップＳ１１０において、コントローラ１００は、給湯機１が浴槽給湯中であるか否かを判断する。浴槽給湯中であるか否かは、風呂リモコン１０１の湯はりのスイッチがＯＮ状態であるか否かで判断できる。浴槽給湯中では、前記したように、給水温度センサ２５の給水温度と流量センサ３４の流量に基いて給湯温度センサ２６の給湯温度が目標温度となるように給湯用循環ポンプ４４のモータの回転速度が制御される。
【００６５】
ステップＳ１１０において、コントローラ１００は、浴槽給湯中ではないと判断した場合には、ステップＳ１１０の処理を繰り返し、浴槽給湯中であると判断した場合には、ステップＳ１２０に進む。
【００６６】
ステップＳ１２０において、コントローラ１００は、一般給湯が開始されたか否かを判断する。一般給湯が開始されたか否かは、流量センサ２３の検出値に基いて、分岐部Ｓより下流の一般給湯管２２に流れが生じているか（流量がゼロよりも大きいか）によって判断できる。
【００６７】
ステップＳ１２０において、コントローラ１００は、一般給湯が開始されていないと判断した場合には（Ｎｏ）、ステップＳ１１０の処理に戻り、一般給湯が開始されたと判断した場合には（Ｙｅｓ）、ステップＳ１３０に進む。
【００６８】
ステップＳ１３０において、コントローラ１００は、浴槽給湯設定温度が一般給湯設定温度よりも高いか否かを判断する。コントローラ１００は、浴槽給湯設定温度が一般給湯設定温度よりも高くないと判断した場合には（Ｓ１３０、Ｎｏ）、ステップＳ１１０の処理に戻り、浴槽給湯設定温度が一般給湯設定温度よりも高いと判断した場合には（Ｓ１３０、Ｙｅｓ）、ステップＳ１４０に進む。
【００６９】
ステップＳ１４０において、コントローラ１００は、給湯温度センサ２６の温度が、一般給湯設定温度に対応した温度となるように給湯用循環ポンプ４４を制御する。すなわち、浴槽給湯設定温度よりも低い一般給湯設定温度にする必要があるので、給湯用循環ポンプ４４のモータの回転速度を低下させることで、給湯用熱交換器５０での給水管２１からの給水に対する蓄熱タンク１０からの熱媒体（高温水）による熱伝達が低減され、給湯用熱交換器５０から出る温水温度（給湯温度）が低下する。
【００７０】
そして、ステップＳ１５０において、コントローラ１００は、流量調整弁３２の開度を徐々に絞る（流量調整弁３２を閉方向に制御する）。このように、流量調整弁３２の開度（最大）を徐々に絞ることにより、一般給湯開始時には、流量調整弁３２の開度が大きくなっているので、分岐部Ｓの下流の浴槽給湯管３１に流れる温水の流量が、分岐部Ｓの下流の一般給湯管２２（以下、分岐後一般給湯管２２ａとする）に流れる温水の流量が多くなっている。なお、一般給湯の給湯能力が足りない場合には、浴槽給湯を一旦停止するものであってもよい。この場合には、流量調整弁３２の開度は最小まで絞られる。好ましくは、同時に電磁弁３３が閉に制御される。
【００７１】
つまり、給湯用熱交換器５０から分岐部Ｓまでの一般給湯管２２（以下、分岐前一般給湯管２２ｂとする）に存在している、一般給湯設定温度に対応する温度よりも高い浴槽給湯設定温度に対応する温度の温水の多くは、浴槽給湯管３１側に流れる。一方、分岐後一般給湯管２２ａには少量の温水が流れるだけあり、仮に分岐後一般給湯管２２ａ（一般給湯管２２）に流れ込んだとしても、分岐後一般給湯管２２ａおよびアキュムレータ２４を流れることで、分岐後一般給湯管２２ａやアキュムレータ２４に前記温水が流れ込む前に溜まっていた水または温度の低い温水（低温水）と混ざりながら、浴槽給湯設定温度に対応した温度に設定された温水の温度が徐々に低下して、一般給湯端末（蛇口、シャワーなど）から出湯されることになる。その後、流量調整弁３２の開度が徐々に絞られる時点では、給湯用熱交換器５０から、一般給湯設定温度に対応した温度の温水が供給されており、分岐前一般給湯管２２ｂを流れる温水は一般給湯設定温度に対応した温度となっている。したがって、一般給湯端末からは、一般給湯設定温度から逸脱した高い温度の温水が出湯されることがない。
【００７２】
そして、ステップＳ１６０に進み、コントローラ１００は、一般給湯が終了したか否かを判断する。なお、一般給湯が終了したか否かは、流量センサ２３の検出値に基いて、検出値（流量）がゼロであることを検知することにより判断できる。
【００７３】
ステップＳ１６０において、コントローラ１００は、一般給湯が終了していないと判断した場合には（Ｎｏ）、ステップＳ１６０の処理を繰り返し、一般給湯が終了したと判断した場合には（Ｙｅｓ）、ステップＳ１７０に進む。
【００７４】
ステップＳ１７０において、コントローラ１００は、給湯温度センサ２６により検知される温度（目標温度）が、浴槽給湯設定温度に対応した温度となるように給湯用循環ポンプ４４を制御する。すなわち、この場合には一般給湯設定温度よりも高い浴槽給湯設定温度にする必要があるので、給湯用循環ポンプ４４のモータの回転速度を上昇させることで、給湯用熱交換器５０での給水管２１からの給水に対する蓄熱タンク１０からの熱媒体による熱伝達が高められ、給湯用熱交換器５０から出る給湯温度が上昇する。
【００７５】
そして、ステップＳ１８０に進み、コントローラ１００は、流量調整弁３２の開度を絞った状態から徐々に拡大する。これにより、給湯用熱交換器５０から浴槽給湯設定温度に対応した温度の温水が浴槽給湯管３１を通って浴槽に供給されることで、浴槽給湯が再開される。
【００７６】
そして、ステップＳ１９０に進み、コントローラ１００は、浴槽給湯（湯はり）が終了したか否かを判断する。なお、浴槽給湯が終了したか否かは、流量センサ３４の検出値の積算によって、一般給湯開始前の浴槽給湯量と一般給湯終了後の浴槽給湯量とを加算した浴槽給湯量が所定値に到達したか否かで判断できる。または、水位センサ３５で検知された水位が風呂リモコンによって予め設定された水位に到達したかで判断できる。
【００７７】
ステップＳ１９０において、コントローラ１００は、浴槽給湯が終了していないと判断した場合には（Ｎｏ）、ステップＳ１１０（Ｓ１２０でもよい）に戻り、浴槽給湯が終了したと判断した場合には（Ｙｅｓ）、リターンする。なお、浴槽給湯が終了したと判断した場合には（Ｓ１９０、Ｙｅｓ）、まず流量調整弁３２について、開度が最小となるまで徐々に絞った後、電磁弁３３を閉弁する。
【００７８】
なお、前記した実施形態では、浴槽給湯として湯はりの場合を例に挙げて説明したが、いわゆる差し湯の場合にも同様に制御することが好ましい。すなわち、給湯温度センサ２６の温度が予め設定された目標温度（例えば、６０℃）となるように給湯用循環ポンプ４４を制御して、給湯用熱交換器５０により給水を加熱する。そして、電磁弁３３を開弁した後、流量調整弁３２の開度を徐々に拡大して、浴槽に湯を追加して、浴槽水の温度を高める。なお、差し湯の温度は、足し湯の温度よりも高く設定される。
【００７９】
また、差し湯中に一般給湯が開始された場合には、前記湯はりのときと同様に、給湯温度センサ２６の温度が一般給湯設定温度に対応した温度となるように給湯用循環ポンプ４４を制御する（Ｓ１４０）。そして、電磁弁３３を直ちに閉じることはせず、給湯温度センサ２６の温度が一般給湯設定温度に対応した温度になってから流量調整弁３２の開度を徐々に絞り（Ｓ１５０）、開度が最小になったときに電磁弁３３を閉じることにより、一般給湯開始時には、分岐前一般給湯管２２ｂに残留している浴槽給湯設定温度に対応した温度の温水の少量が分岐後一般給湯管２２ａに流れ込むだけであるので、一般給湯端末から出湯される頃には、分岐後一般給湯管２２ａおよびアキュムレータ２４内を残留していた水などと混ざりながら通過することによって前記温水が冷却されることになる。よって、一般給湯端末から出湯される温水の温度は、一般給湯設定温度を超えることがない。
【００８０】
そして、一般給湯が終了した場合には（Ｓ１６０、Ｙｅｓ）、給湯温度センサ２６の温度が浴槽給湯設定温度に対応した温度となるように給湯用循環ポンプ４４を制御し（Ｓ１７０）、流量調整弁３２の開度を最大となるまで徐々に拡大する（Ｓ１８０）。そして、浴槽に溜まった浴槽水の温度が浴槽給湯温度センサ３６によって浴槽給湯設定温度になった場合には、浴槽給湯が終了したと判断できる（Ｓ１９０、Ｙｅｓ）。
【００８１】
図３に示すように、時刻ｔ０〜ｔ１において、浴槽給湯（湯はり、差し湯など）中である場合には（Ｓ１１０、Ｙｅｓ）、給湯用循環ポンプ４４は、給湯温度センサ２６の温度が浴槽給湯設定温度に対応した温度（浴槽給湯設定温度よりも高い温度）となるように制御される。また、電磁弁３３が開弁され、流量調整弁３２の開度が最大に設定されているので、浴槽給湯の流量は最大となり、一般給湯の流量はゼロとなっている。
【００８２】
そして、時刻ｔ１において、流量センサ２３によって一般給湯の開始が検知されると（Ｓ１２０、Ｙｅｓ）、給湯温度センサ２６の温度が一般給湯設定温度に対応する温度（一般給湯設定温度よりも高い温度）となるように給湯用循環ポンプ４４のモータの回転速度を低下させることで（Ｓ１４０）、給湯用熱交換器５０から出る温水の温度が低下する。また、流量調整弁３２が徐々に絞られることで（Ｓ１５０）、浴槽給湯の流量が徐々に減少し、逆に一般給湯の流量が徐々に増加する。
【００８３】
そして、時刻ｔ２において、給湯用熱交換器５０から出る温水の温度（給湯温度センサ２６の温度）が一般給湯設定温度に対応する温度まで低下する。なお、流量調整弁３２の開度が最小に設定されることで、浴槽給湯の流量がゼロ（ほぼゼロ）になり、給湯用熱交換器５０からの温水の全量が一般給湯端末に供給される。
【００８４】
ところで、時刻ｔ１〜ｔ２において、一般給湯が開始されたとしても、給湯用熱交換器５０と分岐部Ｓとの間に位置する分岐前一般給湯管２２ｂに残留している浴槽給湯設定温度に対応した温度の温水の多くは、流量調整弁３２を通って浴槽側に流れるので、分岐後一般給湯管２２ａには浴槽給湯設定温度に対応した温度の温水の少量が流れ込むことになる。このように、少量の温水が分岐後一般給湯管２２ａに流れ込んだとしても、分岐後一般給湯管２２ａやアキュムレータ２４を通過する間に残留する水と混ざり合うことによって温水が冷却される。しかも、流量調整弁３２の開度が最小に設定されて、給湯用熱交換器５０からの温水の全量が分岐後一般給湯管２２ａに流れ込んだとしても、開度最小の時点では、給湯用熱交換器５０からは一般給湯設定温度に対応した温度の温水が供給されているので、一般給湯端末から一般給湯設定温度から逸脱した高い温水が出湯されることがない。
【００８５】
そして、時刻ｔ３において、流量センサ２３によって一般給湯の終了を検知すると（Ｓ１６０、Ｙｅｓ）、給湯温度センサ２６の温度が浴槽給湯設定温度に対応する温度となるように給湯用循環ポンプ４４の回転速度を上昇させる（Ｓ１７０）。また、流量調整弁３２の開度を徐々に拡大することで（Ｓ１８０）、浴槽給湯の流量を増加させる。そして、時刻ｔ４において、給湯温度センサ２６の温度が、浴槽給湯設定温度に対応した温度となる。
【００８６】
そして、時刻ｔ５において、浴槽給湯の終了を検知すると（Ｓ１９０、Ｙｅｓ）、給湯用循環ポンプ４４を停止させ、流量調整弁３２の開度を最小に（全閉）する方向に制御する。そして、時刻ｔ６において、流量調整弁３２の開度が最小になったときに、電磁弁３３を閉弁し、浴槽給湯を終了する。
【００８７】
以上説明したように、第１実施形態に係る給湯機１によれば、浴槽給湯設定温度が一般給湯設定温度よりも高い温度に設定されている場合に浴槽給湯中に一般給湯が開始されたときに、流量調整弁３２の開度を直ちに最小にするのではなく、流量調整弁３２の開度を徐々に小さくすることで、分岐前一般給湯管２２ｂに残留している浴槽給湯設定温度に対応した温水を浴槽給湯管３１に逃すことができる。しかも、浴槽給湯設定温度に対応した温水の一部が分岐後一般給湯管２２ａに流れ込んだとしても、分岐後一般給湯管２２ａを通過する間に分岐後一般給湯管２２ａに溜まっている水と混ざり合って温水が冷却されるので、一般給湯端末から一般給湯設定温度から逸脱した高い温度のお湯が出湯されるのを好適に防止できる。
【００８８】
また、第１実施形態によれば、分岐後一般給湯管２２ａにアキュムレータ２４が配置されているので、アキュムレータ２４の空間内に溜まった水と混ざって温水の温度が低下するため、一般給湯設定温度から逸脱した高い温度の温水が一般給湯端末から出るのをより好適に防止できる。
【００８９】
（第１実施形態の変形例）
図４は第１実施形態の変形例に係る給湯機において、浴槽給湯中に一般給湯が検知されたときの制御を示すフローチャート、図５は図４のフローチャートに対応した動作例を示すタイムチャートである。なお、第１実施形態の変形例に係る給湯機は、第１実施形態の給湯機１の流量調整弁３２を備えない構成である。また、第１実施形態の変形例では、電磁弁３３が特許請求の範囲の請求項１に記載の弁に相当する。また、図２のフローチャートと同様の処理については同一のステップ符号を示して、重複する説明を省略する。
【００９０】
図４に示すように、コントローラ１００は、一般給湯設定温度に対応した温度となるように給湯用循環ポンプ４４を制御した後（Ｓ１４０）、ステップＳ１４５に進み、所定時間が経過したか否かを判断する。所定時間とは、浴槽給湯と一般給湯とを同時に行う時間であり、浴槽給湯用に加熱していた温水（高温水）が一般給湯端末（蛇口など）に出てしまうのを防止するために、浴槽給湯側に逃すための時間（動作）を意味している。
【００９１】
なお、所定時間としては、例えば、給湯用熱交換器５０を出た温水が一般給湯管２２と浴槽給湯管３１との分岐部Ｓを超えるまでの時間であり、分岐前一般給湯管２２ｂを流れる湯の流量（ｍ３／ｓ）と、その配管の配管容積（断面積×配管長：ｍ３）とに基いて決定することができる。つまり、給湯用熱交換器５０を出た温水が分岐部Ｓを通過するまでの時間である。
【００９２】
また、所定時間の他の例としては、給湯用熱交換器５０による熱交換後の温水の温度（給湯温度センサ２６の温度）が一般給湯設定温度に対応した温度に低下するまでの時間であってもよい。または、給湯用循環ポンプ４４のモータの回転速度が、一般給湯設定温度に対応する温度に相当する回転速度となるまでの時間であってもよい。
【００９３】
ステップＳ１４５において、コントローラ１００は、所定時間が経過していないと判断した場合には（Ｎｏ）、ステップＳ１４５の処理を繰り返し、所定時間が経過したと判断した場合には（Ｙｅｓ）、ステップＳ１５５に進む。
【００９４】
ステップＳ１５５において、コントローラ１００は、電磁弁３３を閉弁する。これにより、浴槽給湯が一時的に停止し、給湯用熱交換器５０から出た温水の全量が一般給湯端末に供給される。
【００９５】
そして、ステップＳ１６０において、コントローラ１００は、一般給湯の終了を検知した場合（Ｙｅｓ）、ステップＳ１７０に進み、給湯温度センサ２６の温度が浴槽給湯設定温度に対応した温度となるように給湯用循環ポンプ４４を制御し、ステップＳ１８５に進み、電磁弁３３を開弁する。電磁弁３３を開弁することにより、浴槽給湯が再開される。
【００９６】
図５に示すように、時刻ｔ１１において、浴槽給湯中（Ｓ１１０、Ｙｅｓ）、流量センサ２３によって一般給湯の開始が検知されると（Ｓ１２０、Ｙｅｓ）、給湯温度センサ２６の温度が一般給湯設定温度に対応する温度となるように給湯用循環ポンプ４４のモータの回転速度を低下させることで（Ｓ１４０）、給湯用熱交換器５０から出る温水の温度（給湯温度センサ２６の温度）が低下する。
【００９７】
また、時刻ｔ１１において、一般給湯端末が開かれることにより、一般給湯の流量が増加し、一般給湯の流量が増加した分、浴槽給湯の流量が減少する。その後、一般給湯端末からの出湯量が変化しなければ、一般給湯および浴槽給湯ともに一定の流量で推移する。
【００９８】
そして、時刻ｔ１１から所定時間経過後の時刻ｔ１２において（Ｓ１４５、Ｙｅｓ）、電磁弁３３を閉弁することにより（Ｓ１５５）、浴槽給湯の流量がゼロとなり、一般給湯の流量が一般給湯端末の開度に応じた流量となる。なお、所定時間としては、前記したように、給湯用熱交換器５０から分岐部Ｓまでの分岐前一般給湯管２２ｂに溜まっている温水の全量が分岐部Ｓを通過するまでの時間、または給湯用熱交換器５０で熱交換された後の温水の温度（給湯温度センサ２６の温度）が一般給湯設定温度に対応した温度に低下するまでの時間、または給湯用循環ポンプ４４のモータの回転速度が一般給湯設定温度に対応した温度に相当する回転速度となるまでの時間に設定できる。
【００９９】
ところで、時刻ｔ１１〜ｔ１２において、一般給湯が開始されたとしても、電磁弁３３が所定時間の間、開弁しているので、分岐前一般給湯管２２ｂに残留している浴槽給湯設定温度に対応した温度の温水の多くは、電磁弁３３を通って浴槽側に流れる。よって、分岐後一般給湯管２２ａには、浴槽給湯設定温度に対応した温度の温水が少量流れることになる。この少量の温水が分岐後一般給湯管２２ａに流れ込んだとしても、浴槽給湯設定温度に対応した温度の温水は、分岐後一般給湯管２２ａおよびアキュムレータ２４を通過する間に冷却された後、一般給湯設定温度を超えない温度の温水が一般給湯端末から出湯されることになる。
【０１００】
そして、時刻ｔ１３において、流量センサ２３によって一般給湯の終了を検知すると（Ｓ１６０、Ｙｅｓ）、給湯温度センサ２６の温度が、浴槽給湯設定温度に対応する温度となるように給湯用循環ポンプ４４の回転速度を上昇させる（Ｓ１７０）。また、一般給湯端末が閉じられると、一般給湯が終了することにより、一般給湯の流量がゼロになる。
【０１０１】
そして、時刻ｔ１４において、給湯温度センサ２６の温度が浴槽給湯設定温度に対応する温度に到達すると、電磁弁３３が開弁され（Ｓ１８５）、浴槽給湯が再開される。これにより、浴槽には、浴槽給湯設定温度の温水が供給されることになる。
【０１０２】
そして、時刻ｔ１５において、浴槽給湯の終了を検知すると（Ｓ１９０、Ｙｅｓ）、給湯用循環ポンプ４４を停止し、電磁弁３３を閉弁する。
【０１０３】
このような第１実施形態の変形例に係る給湯機によれば、第１実施形態のように流量調整弁３２を備えない場合であっても、浴槽給湯中に一般給湯を検知した場合、浴槽給湯設定温度が一般給湯設定温度よりも高いとき、電磁弁３３を直ちに閉弁するのではなく、所定時間待って電磁弁３３を閉弁することにより、分岐前一般給湯管２２ｂに残っている浴槽給湯設定温度に対応した温度の温水の多くが浴槽給湯管３１に流れるため、分岐後一般給湯管２２ａのみ（一般給湯端末のみ）に流れるのを防止できる。したがって、分岐後一般給湯管２２ａに浴槽給湯設定温度に対応した温度の温水が流れ込んだとしても、少量であるため、分岐後一般給湯管２２ａに溜まっている水と混ざって冷却される。したがって、一般給湯設定温度から逸脱した高い温度の湯が一般給湯端末から出るのを好適に防止することができる。
【０１０４】
また、第１実施形態の変形例によれば、分岐後一般給湯管２２ａにアキュムレータ２４が配置されているので、アキュムレータ２４の空間内に溜まった水と混ざって温水の温度が低下するため、一般給湯設定温度から逸脱した高い温度の温水が一般給湯端末から出るのをより好適に防止できる。
【０１０５】
なお、第１実施形態の変形例では、流量調整弁３２を備えない場合について説明したが、これに限定されるものではなく、第１実施形態のように、電磁弁３３とともに流量調整弁３２を備える構成であってもよい。
【０１０６】
（第２実施形態）
図６は第２実施形態に係る給湯機において、浴槽給湯中に一般給湯が検知されたときの制御を示すフローチャート、図７は図６のフローチャートに対応した動作例を示すタイムチャートである。なお、第２実施形態における給湯機の構成は、第１実施形態における給湯機１の構成と同様である。
【０１０７】
ステップＳ２１０において、コントローラ１００は、給湯機１が浴槽給湯中であるか否かを判断する。浴槽給湯中であるかは、例えば、風呂リモコン１０１の湯はりのスイッチがＯＮ状態であるかどうかで判断できる。浴槽給湯中は、前記したように、タンク温度センサ１１の熱媒体温度と給水温度センサ２５の給水温度と流量センサ３４の流量に基いて給湯温度センサ２６の給湯温度が目標温度（浴槽給湯設定温度に対応した温度）となるように給湯用循環ポンプ４４のモータの回転速度が制御される。
【０１０８】
ステップＳ２１０において、コントローラ１００は、浴槽給湯中ではないと判断した場合には、ステップＳ２１０の処理を繰り返し、浴槽給湯中であると判断した場合には、ステップＳ２２０に進む。
【０１０９】
ステップＳ２２０において、コントローラ１００は、浴槽給湯設定温度が一般給湯設定温度よりも高いか否かを判断し、浴槽給湯設定温度が一般給湯設定温度よりも高くないと判断した場合には（Ｎｏ）、ステップＳ２１０の処理に戻り、浴槽給湯設定温度が一般給湯設定温度よりも高いと判断した場合には（Ｙｅｓ）、ステップＳ２３０に進む。
【０１１０】
ステップＳ２３０において、コントローラ１００は、浴槽給湯を終了する終了浴槽給湯量から所定の給湯量ΔＱを差し引いた給湯量に到達したか否かを判断する。終了浴槽給湯量は、例えば、風呂リモコン１０１により予め設定された給湯量である。所定の給湯量ΔＱは、終了浴槽給湯量に至る前（直前）の給湯量である。具体的には、終了浴槽給湯が２００リットルである場合、ΔＱは１０リットルに設定され、１９０（終了浴槽給湯量−ΔＱ）リットルに到達したか否かによって判断する。なお、終了浴槽給湯量に到達したかどうかは、流量センサ３４の流量の積算値、または水位センサ３５の検出値によって判断できる。
【０１１１】
ステップＳ２３０において、コントローラ１００は、終了浴槽給湯量に到達していないと判断した場合には（Ｎｏ）、ステップＳ２３０の処理を繰り返し（Ｓ２１０またはＳ２２０に戻ってもよい）、終了浴槽給湯量に到達したと判断した場合には（Ｙｅｓ）、ステップＳ２４０に進む。
【０１１２】
ステップＳ２４０において、コントローラ１００は、給湯温度センサ２６の温度が一般給湯設定温度に対応した温度となるように、給湯用循環ポンプ４４のモータの回転速度を制御する。すなわち、浴槽給湯設定温度よりも低い一般給湯設定温度にする必要があるので、給湯用循環ポンプ４４のモータの回転速度を低下させることで、給湯用熱交換器５０での給水管２１からの給水に対する蓄熱タンク１０からの熱媒体による熱伝達が低減され、給湯用熱交換器５０からの温水温度（給湯温度）が低下する。
【０１１３】
そして、ステップＳ２５０において、コントローラ１００は、浴槽給湯を終了する。すなわち、流量調整弁３２について、開度が最小となるまで徐々に絞った後、電磁弁３３を閉弁する。
【０１１４】
図７に示すように、時刻ｔ２１において、浴槽に対して終了浴槽給湯量よりΔＱ少ない量の温水が溜められると、給湯温度センサ２６の温度が一般給湯設定温度に対応する温度となるように給湯用循環ポンプ４４のモータの回転速度を低下させる。これにより、給湯用熱交換器５０から出る温水の温度（給湯温度センサ２６の温度）が低下する。
【０１１５】
そして、時刻ｔ２２において、給湯温度センサ２６の温度が一般給湯設定温度に対応する温度となったときに、流量調整弁３２の開度を最小になるまで徐々に絞った後の時刻ｔ２３において、電磁弁３３を閉弁して、浴槽給湯を終了する。なお、所定の給湯量Ｑは、例えば、浴槽給湯が終了する時刻ｔ２３において、終了浴槽給湯量に到達するように設定される。
【０１１６】
このような第２実施形態の給湯機によれば、浴槽給湯を行う場合、浴槽給湯設定温度が一般給湯設定温度よりも高いときには、浴槽給湯の終了に先立って（例えば、浴槽給湯の終了直前に）、給湯温度センサ２６の温度が一般給湯設定温度に対応する温度となるように給湯用循環ポンプ４４を制御することにより、浴槽給湯（湯はり）が終了した後または直後に、一般給湯端末（蛇口など）が開けられたとしても、一般給湯端末から一般給湯設定温度から逸脱した高い温度の温水が出るのを好適に防止できる。
【０１１７】
なお、第２実施形態では、湯はりを例に挙げて説明したが、これに限定されるものではなく、第１実施形態で説明したように、浴槽給湯として差し湯を行った場合であっても、差し湯の終了に先立って、一般給湯設定温度に対応した温度となるように給湯用循環ポンプ４４を制御することにより、差し湯の終了後（終了直後）に、一般給湯端末（蛇口など）が開けられたとしても、一般給湯端末から一般給湯設定温度から逸脱した高い温度の温水が出るのを好適に防止できる。また、足し湯の場合であっても同様である。
【０１１８】
また、第２実施形態では、流量調整弁３２と電磁弁３３とを備えた構成を例に挙げて説明したが、これに限定されるものではなく、流量調整弁３２と電磁弁３３のうち流量調整弁３２を備えた構成であってもよく、または電磁弁３３のみを備えた構成であってもよい。
【０１１９】
また、第２実施形態では、時刻ｔ２１において、給湯用循環ポンプ４４を制御して給湯温度センサ２６の温度が一般給湯設定温度に対応する温度になった後（時刻ｔ２２）に流量調整弁３２を絞るよう（最大→最小）に制御した場合を例に挙げて説明したが、このような制御に限定されるものでない。例えば、図示していないが、浴槽給湯の終了直前において、給湯温度センサ２６の温度が一般給湯設定温度に対応する温度になるように給湯用循環ポンプ４４の制御を開始すると同時（図７での時刻ｔ２１に相当）に流量調整弁（弁）３２を絞るように制御（閉方向に制御）してもよい。なお、浴槽給湯の終了直前とは、例えば、終了浴槽給湯量から流量調整弁３２の開度を最小にできるまでの給湯量を差し引いた量に至るときである。
【０１２０】
このような構成によれば、浴槽給湯設定温度から一般給湯設定温度に制御を開始してから浴槽給湯終了までの時間をさらに短くすることができるので、浴槽給湯設定温度よりも低い温度の湯が浴槽に長い時間供給されるのを低減でき、浴槽水の温度が大きく低下するのを防止できる。なお、流量調整弁３２（弁）とともに電磁弁３３を備えている場合には、給湯用循環ポンプ４４を制御して給湯温度センサ２６の温度が一般給湯設定温度に対応する温度になったとき（図７での時刻ｔ２２に相当）、電磁弁３３を閉じる。
【０１２１】
また、図示していないが、流量調整弁３２に替えて電磁弁３３（弁）とし、浴槽給湯の終了直前において、給湯用循環ポンプ４４を制御して給湯用熱交換器５０で熱交換後の温水温度が一般給湯設定温度に対応した温度に至ると同時に（図７での時刻ｔ２２に相当）、電磁弁３３を閉じる（閉方向に制御）してもよい。なお、浴槽給湯の終了直前とは、例えば、終了浴槽給湯量から電磁弁３３を閉弁できるまでの給湯量を差し引いた量に至るときである。
【０１２２】
このような構成によれば、前記と同様に、浴槽給湯設定温度から一般給湯設定温度に制御を開始してから浴槽給湯終了までの時間を短くすることができるので、浴槽給湯設定温度よりも低い温度の湯が浴槽に長い時間供給されることを低減でき、浴槽水の温度が大きく低下するのを防止できる。
【０１２３】
また、前記した第１実施形態、第１実施形態の変形例、第２実施形態では、図１に示すシステム構成の給湯機１を例に挙げて説明したが、給湯用熱交換器５０の下流の一般給湯回路２０と浴槽給湯回路３０との分岐部Ｓを、給湯用熱交換器５０の出口５１ｂの近傍にする構成であってもよい。つまり、分岐部Ｓは、給湯用熱交換器５０の出口５１ｂに近ければ近いほどよい。これにより、給湯用熱交換器５０と分岐部Ｓとの距離を短く（最短に）することができ、第１実施形態、第１実施形態の変形例、第２実施形態における給湯機において、一般給湯の開始が検知されたときの一般給湯と浴槽給湯を同時に行う際の時間、すなわち給湯用熱交換器５０を出た温水が分岐部Ｓを超えるまでの時間をさらに短縮できる。
【０１２４】
また、第１実施形態では、流量調整弁３２を徐々に絞るように制御することを例に挙げて説明したが、第１実施形態の変形例における電磁弁３３と同様に、所定時間待って流量調整弁３２の開度を最大から最小に切り換える構成であってもよい。
【０１２５】
また、図１では、流量調整弁３２（完全に全閉できないもの）と電磁弁３３とを備えた構成を例に挙げて説明したが、完全に全閉可能な流量調整弁であってもよい。これにより、電磁弁３３を不要にできる。
【０１２６】
また、本実施形態では、給湯用循環ポンプ４４のモータの回転速度に基いて一般給湯設定温度や浴槽給湯設定温度となるように給湯温度を制御した場合を例に挙げて説明したが、これに限定されるものではなく、一般給湯設定温度や浴槽給湯設定温度の温水の温度をより精度よく調整する目的で、給湯用熱交換器５０の下流の一般給湯管２２や浴槽給湯管３１に混合弁を設けるものであってもよい。
【符号の説明】
【０１２７】
１      給湯機
２      蓄熱タンクユニット
３      ヒートポンプユニット（加熱手段）
１０    蓄熱タンク
２０    一般給湯回路
２１    給水管
２２    一般給湯管
２２ａ  分岐後一般給湯管
２２ｂ  分岐前一般給湯管
２３    流量センサ
２４    アキュムレータ
２５    給水温度センサ
２６    給湯温度センサ
３０    浴槽給湯回路
３１    浴槽給湯管
３２    流量調整弁（弁）
３３    電磁弁（弁）
３４    流量センサ
３５    水位センサ
３６    浴槽給湯温度センサ
４０    給湯用加熱回路
４１    給湯熱交換器往き管
４２，４３  給湯熱交換器戻り管
４４    給湯用循環ポンプ
５０    給湯用熱交換器
１００  コントローラ（制御部）
１０１  風呂リモコン
１０２  台所リモコン
Ｓ      分岐部
【図１】
2012042091.tif 000003
【図２】
2012042091.tif 000004
【図３】
2012042091.tif 000005
【図４】
2012042091.tif 000006
【図５】
2012042091.tif 000007
【図６】
2012042091.tif 000008
【図７】
2012042091.tif 000009